(57)【特許請求の範囲】
【請求項１】
廃棄処理の簡易な使い捨て用の簡易プラスチック製容器に充填された流動性のあるシール材料あるいは接着剤等の施工材料をエアー圧で加圧吐出させて施工するための簡易施工器具であって、施工材料を充填するためのプラスチック製容器１と、圧入されるエアー圧によって該容器１が膨張・破裂するのを防止するための該容器１を装入し得る箱型保持具２と、着脱可能で容器１内のエアー圧を制御可能なエアー式ポンプ４と、エアーコンプレッサ８及びその駆動手段とからなり、保持具２の側面が容器１の挿入口となっており上面部には容器１上部の開口部を挟み込めるＵ字状等の切れ込み部が設けられていて、その切れ込み部に容器１の開口部を差し込んで固定し、該容器１の開口に連結部材３を介してエアー式ポンプ４を上から押さえ込むだけで該容器１とポンプ４との接続を可能とし、施工材料吐出後はエアー式ポンプ４をはずして容器１を廃棄できるようにしたことを特徴とする隙間充填及びひび割れ充填用簡易施工器具。
【請求項２】
アジャスター付きの台車１０に、箱型保持具２、エアレギュレータ６、圧力計７、エアコンプレッサー８、バッテリーまたは発電機９等の動力源を固定したことを特徴とする請求項１記載の隙間充填及びひび割れ充填用簡易施工器具。
【請求項３】
箱形保持具２、ポンプ４及び駆動源９等を容易に運ぶために、これらを肩に掛ける吊り下げベルト１４あるいは腰に取り付けれるベルト１５に取付けたことを特徴とする請求項１記載の隙間充填及びひび割れ充填用簡易施工器具。
【発明の詳細な説明】
【０００１】
【発明の属する技術分野】
本発明は土木工事あるいは建築工事などに用いる目地シール材、隙間充填材、クラック充填材の施工に於いて、硬化前の状態が流動性のある材料を施工する場合に作業員の手を汚さず、かつ、廃棄処理が容易で施工資材を削減することができ、大がかりな機械を使用することなく、すなわち、環境上問題となるＣＯ2 発生削減に寄与できる経済的で簡易な施工器具を提供するものである。
【０００２】
【従来の技術】
土木工事や建築工事に於いて、目地シールや隙間充填、クラック充填を行う作業は数多い。この目地シールには様々なものがあり、例えば、飛行場や港湾、道路などの広いコンクリート舗装の目地から、水路、貯水池の目地、護岸、防波堤など壁面の目地、ボックスカルバートなどのコンクリート２次製品の目地などの立体的なコンクリート構造物の目地、さらにはビル・住宅などの内外防水用の目地等がある。
また、クラック充填はアスファルト舗装やコンクリート舗装、コンクリート構造物等でみられている。
【０００３】
目地シールの方法としては、広い面積のコンクリート舗装等の目地はその延長が長く、かつ、水平な目地であるため、流動性の有るシール材料を特殊な機械を用いて注入している。この種の機械には、シール材の貯蔵部と流量調節可能なポンプ、そしてそのポンプを動かす動力等を有したある程度大がかりな機械が用いられている。
これらの機械は一日の施工量が例えば２０００〜３０００ｍ以上に及ぶ能力はあるが、一方で僅かの目地延長しかない場合には、容易に持ち運ぶことの出来ないこの様な機械での施工は適さない。
【０００４】
立体的な構造物の目地では、流動性のあるシール材料では垂直や傾斜のあるなどの目地をシールすることが出来ないので流動性が無く、だれないシール材（ノンサギングタイプ）を用いている。これらのシール材の施工器具としては、円筒状のシール材容器の先にノズルを付け、引き金を引くことで反対側から押し出し板が材料を押し出してゆく、いわゆるコーキングガンがある。このコーキングガンには１液タイプまたは主剤と硬化剤を混合する２液混合タイプのシール材をあらかじめ用意し、ガンのふたを開けてこのガンの円筒容器の中にシール材を封入したうえで使用している。また、１液タイプのシール材を柔らかい樹脂製のフィルムで包んで円柱状にし、コーキングガンの円筒容器の中に、一端を破って袋のまま投入して使用する物もある。さらにこのコーキングガンの代わりに、あらかじめ使い捨ての円筒状の容器にシール材が封入されていて片方には封緘フィルムとノズルが付いており、もう片方には押し出し板が当たることでスライドすることができる底板が付いている、いわゆるカートリッジを用いてこれを専用のカートリッジガンで施工する場合もある。これらのコーキングガンやカートリッジガンは簡単な構造で価格も安価であり、僅かの数量を施工するのにも適している。しかしながら、これらの器具は流動性が無く、だれの無いシール材に限られており、流動性の有るシール材（セルフレベリングタイプ）においてはこのような簡易な器具が無いのが現状である。
【０００５】
クラックの充填は、大きな現場では主にゴムアスファルトを加熱して溶解したものを充填する工法が取られている。このための機械は、材料を溶解できる釜及び保温のためのバーナー、燃料ガス等を積んでおり、一度に多くの材料しか溶解できない上、機械自体が大がかりとなる。また、大量の燃料を消費するため施工現場で大量のＣＯ2 の発生を余儀なくされ、環境上の問題がある。
また、その都度加熱して使用しなければならないため手間が掛かると同時にコスト的にも掛かり僅かな施工には適さない。また常温タイプは筒体のポリ容器に３００ｍｌ程度入ったボトルガンタイプの充填材をその都度攪拌し、手動にて充填する工法しかなく非常に手間のかかる物であった。
【０００６】
流動性のシール材にも１液タイプと２液タイプがあり、これらは密封された缶やポリ容器に入っており、２液タイプはあらかじめ２液を混合して攪拌したうえで使用する。これらの材料を大がかりな機械を用いる必要のないある程度の距離施工するには、ブリキ製の缶の上縁部をつぶしてくちばしの様な形にしてここからシール材を目地に流し込んだり、コーキングガンを応用して、この中にシール材を流し入れて、目地に注入するなどされており、きわめて原始的である。
【０００７】
【発明が解決しようとする課題】
本発明は、このような流動性のあるシール材を簡単に効率よく施工でき、かつ、経済的な簡易シール器具を提供するものである。
すなわち、大がかりな機械を用いて施工を行っている広い面積の工事ではなく、比較的中規模の工事で、機械を用いることのできない工事では、これまでこれに適した簡易なシール器具が無かった。また、対象物に発生したクラックのうち、小さいクラックの中まで自在に注入できる適切な装置がなかった。そのために、製品の容器とは別にブリキ缶等を利用したり、コーキングガンなどを応用しており、使用後に廃棄する缶類の増加を招き、あるいは汚れた器具を溶剤にて洗浄する作業を必要とし、同時に溶剤の廃棄も必要となっていた。
なお、シール材料は缶、または潰すことの出来ないポリ容器に入れられており、使用後にはこれら容器類の廃棄も当然必要となっていた。従って、これらの廃棄物の削減の必要性にも迫られていた。
また少量しか材料が入っていない場合、持ち運び、携帯には便利であるが、一度に施工できる数量が非常に少なく、手間や時間がかかり作業能率の低下を招き、また小梱包であっても数量が多くなると廃棄物の量も多くなり容器の廃棄も当然必要となっていた。
【０００８】
【課題を解決するための手段】
本発明は、流動性のあるシール材料あるいは接着剤等の施工材料を充填するためのプラスチック製容器と、該容器に着脱可能に装着でき、該容器内にエアーを圧入してそのエアー圧力によって容器内の施工材料を吐出することができ、かつエアー圧力を制御可能なエアー式ポンプとからなることを特徴とする隙間充填及びひび割れ充填用簡易施工器具に関するものである。
【０００９】
【発明の実施の形態】
本発明は前記従来の課題を解決するため、まず、シール材料はポリエチレン（ＰＥ）、ポリプロピレン（ＰＰ）等のプラスチック製の容器に封入することとした。このプラスチック製容器は、ＰＥ、ＰＰのような軟質フィルム製容器か又は軟質成形容器で、専用ケースに入れて供給するか又は前記容器のまま供給し、使用後は押し潰すなどによって少量化して使い捨てとする。専用ケースはプラスチック製等として通い箱としてもよく、またダンボールケース等の簡易ケースとして使い捨てとしてもよく、従来の如く缶等の容器と比べ容量的にも重量的にも廃棄量を低減できる。
【００１０】
しかし、上記のプラスチック製容器（以下ポリ容器という）は使用後容易に潰すことが出来るような軟質のプラスチック製を用いており、そのため高圧には耐えられない。通常、エアー（空気）圧にて材料を吐出させるためには非常に丈夫な専用容器を使用しなければならず、そのため、機械も大がかりとなり、持ち運びに不便であった。
本発明では箱形保持具を使用し、この箱形保持具の中にポリ容器を装填し、エアー式ポンプによるエアー圧に耐えられるようにした。
保持具の形状は、通常四角形の箱形とするが、必ずしもこれに限定されることなく直立円筒形でもよい。
【００１１】
保持具へのポリ容器の装填は、容器が軟質プラスチックのフィルム製であるときは保持具内で容易に変形して収納されるため、保持具の装填室内の形状は四角形の箱形でも円筒形でもよい。シール材入りポリ容器を専用ケースごと保持具に装填するには、装填室内の形状はケースに対応した形状とするとよい。保持具は蓋に相当する上面部が開閉するようにしても良いが、重いシール材入りポリ容器を装填するには、保持具の側面が開閉するようにすると有利である。
保持具の上面部にはポリ容器の開口部が該上面部上に突出して保持されるように、切れ込み部を設ける。ポリ容器の開口部は該切れ込み部で保持され、連結部材を介してエアー式ポンプと結合される。
したがって、ポリ容器は、プラスチックフィルム製の場合でも、容器上部の開口部は、保持具の上面部の切れ込み部で保持出来るように肉厚の円筒状で開口端部はフランジ状に張り出した形状とするとよい。
保持具の上面部に設ける切り込み部はポリ容器の口が出て保持できるものであれば、円形でも四角形でもよいが、好ましくは保持具の上面部をやや傾斜した面とし、保持具の上面部の側端から中央に向けて切り込み部を下方が開いたＵ字形とすると、ポリ容器の開口を前記切り込み部のＵ字形の開いた口から保持具の上面部の中央に向けて滑らせるだけで固定できるので有利である。
【００１２】
本発明では、保持具によってポリ容器が該容器内に送り込まれるエアー圧力によって過剰に膨らむことを防止し、同時に濡れたシール材が飛散しないように防止することも可能とした。また、エアー式ポンプには圧力計、エアレギュレータ、エアー抜きコック等を備えることによってポリ容器内の圧力およびシール材の吐出量を制御するようにした。
本発明の施工器具は、台車にポリ容器、保持具、エアー式ポンプ等の各部材を載せて移動可能な装置とすることができ、また、吊り下げベルトや腰に取り付けられるベルトに必要部材を取り付け作業者に保持させて作業させることもできる。
以下本発明を図面にしたがって説明するが、本発明はこれらの例に限定されるものではない。
【００１３】
図１は本発明の簡易施工器具の一例を示す構成図で、図中、１はシール材が充填されたポリ容器、２は箱形保持具、４はエアー式ポンプを示す。
図はポリ容器１が保持具２内に装填される前の状態を示している。ポリ容器１は保持具２の側面の開口より挿入され、Ｕ字形の切れ込み２１に容器１の開口部が挿入されて固定される。保持具２の上面部２２は図示したように容器１の挿入方向に向かって上昇するように傾斜した面となっていて、容器１を押し込むだけで容器１の口と連結部材３とが接合し、エアー式ポンプ４の下部が容器１に挿入されるようになっている。
【００１４】
エアー式ポンプ４にはチューブ５とエアレギュレータ６、圧力計７を介してエアコンプレッサー８が連結され、これにはエアコンプレッサー８を駆動させる事のできるバッテリーまたは発電機９が連結される。また、エアー式ポンプ４のもう一方のチューブには吐出チューブ１１と流量調節バルブ１２を介して吐出ノズル１３が設けられている。
容器１の内圧をエアレギュレータ６にて調整し、作業中の内圧は圧力計７にて一定以上に上がらないように管理が可能なようになっており、容器１が圧力過剰で破壊しないようにした。また、箱型保持具２にて圧力によって容器１が過剰に膨らむことを防止した。
また、エアー式ポンプ４は低圧でも材料が吐出可能な、アクアシステム製のＡＰＰ−１を使用した。エアー式ポンプ４にはエアー抜きコックがあり、そこからエアーを抜くことができ、破裂以前に中断することができると同時に洗浄用としても使用可能である。
【００１５】
容器１のキャップ部分（開口部）は製品出荷時には通常のキャップが付けられているが、これを用いるときには、このキャップを外し、内栓を外して押し込むだけでエアー式ポンプ４と連結可能なキャップ型の連結部材３に付け換える。
容器１は専用ケースごと金属製または樹脂製の箱型保持具２に納められ、開口部は箱型保持具２の切れ込み部２１に挟み込み固定される。このようにして容器１にエアー式ポンプ４を結合した後、エアコンプレッサー８を作動させて容器１内にエアーを圧入し、シール材を吐出チューブ１１、流量調節バルブ１２を介して吐出ノズル１３より吐出させてシール材の充填作業を行う。
【００１６】
図２は本発明の他の実施例で、保持具２、エアー式ポンプ４、エアコンプレッサー８、バッテリーまたは発電機９等の上記器具一式をアジャスター付きの台車１０に搭載した構成のものである。作業者が手押し等によって台車を所要の箇所に移動させて使用する。
図３は別の実施例で、上記器具一式を吊り下げベルト１４と腰部用ベルト１５に取り付けて、作業者に取り付け容易に持ち運びできるようにした例である。なお、図２と図３とも、図１と同じものには同一符号を付して説明を省略した。
【００１７】
本発明の簡易施工器具を使用する場合、容器１の中の材料が１液タイプであればそのまま使用できるが、２液タイプの場合、別に用意された硬化剤をこの容器１の中の主剤の中に入れ、容器１を手で振るようにして中のシール材を移動させることで混合できるので２液タイプにも使用できる。
容器１のキャップを連結部材３に取り替えれば、エアー式ポンプ３を押し込むだけで、容器１と連結出来、あとは連結されたコンプレッサー８をバッテリーまたは発電機９で駆動させ、容器１へ空気を送ってゆく。
次に、容器１の内圧を高めた後吐出チューブ１１の流量調節バルブ１２が開かれれば、シール材は吐出ノズル１３から一定量で吐き出され、これによって目地およびクラックをシールすることができる。
【００１８】
本発明の簡易施工器具は簡易な動力を使い、簡単で、軽量であるため、持ち運びが容易であり、低圧で作業できるため安全である。また、容器１の容量を変えることにより、１回に施工できる数量も格段と増やすことができる。
上記説明において動力源としてバッテリーまたは発電機を使用しているが、本施工器具の近くにコンセントなど通常の電力源あるときは、これらを使用して良いことは勿論である。
【００１９】
【発明の効果】
本発明のシール器具を用いて舗装クラックへの充填施工時間、施工数量を調査した。本発明のシール器具としては容器１の内容量３０００ｍｌ、エアレギュレータ６にて調整した圧力０．０３ＭＰａ、内径１２ｍｍのチューブ１１、ノズル１３を使用した。この簡易シール器具にて２液型液状シール材を、幅３ミリ、深さ３０ミリの目地に施工した場合とボトルガン形式のクラック充填材（３６０ｍｌ・８本）を用いて施工した場合とで施工時間、施工数量を調べた。この結果が表．１である。
【００２０】
0003707049.tif 000002
この様に本発明のシール器具は簡易軽量な器具であるにもかかわらず、施工時間も早く、また、充填材の混合手間一度に済み、作業が楽であった。
【００２１】
本発明の簡易シール器具をシール工事に用いた場合のその効果を列挙すると、下記の各効果を挙げることが出来る。
（１）大がかりな機械を使うことの出来ない比較的中規模な工事に於いて、その施工速度を向上できる。
（２）シール材容器にチューブの付いたキャップを付け替え、はめ込むだけで施工が出来、作業員の手を汚すことが無い。また、他の容器や器具に入れ換えることも無いので洗浄も必要がなく、シンナー・溶剤なども必要としない。
（３）１液タイプに限らず缶の中で攪拌機を用いて混合していた２液タイプのシール材も、ポリフィルム製の容器の中から出さないで混合することができるので作業が楽であり、迅速化できる。また、充填材容器も薄いフィルム製のパックであるため、廃棄するものを削減できる。
（４）施工現場で大量のＣＯ2 を発生することもなく、環境問題の観点からＣＯ2 を削減できる。
（５）対象物のクラックの程度を選ばず、これまで適切な施工機械の無かった小さなクラックまで注入可能である。
【図面の簡単な説明】
【図１】本発明の簡易シール器具の構成を示す斜視図である。
【図２】本発明の他の実施例を示す側面図である。
【図３】本発明の別の実施例を示す構成図である。
【符号の説明】
１：充填材容器
２：箱型保持具
３：連結部材
４：エアー式ポンプ
５：チューブ
６：エアレギュレータ
７：圧力計
８：エアコンプレッサー
９：バッテリーまたは発電機
１０：台車
１１：吐出チューブ
１２：流量調整バルブ
１３：吐出ノズル
１４：吊り下げベルト
１５：ベルト
【図１】
0003707049.tif 000003
【図２】
0003707049.tif 000004
【図３】
0003707049.tif 000005